(57)【要約】      （修正有）【課題】ディスク状記録媒体に対する負荷の軽減及びケース体の強度の向上を図る。【解決手段】複数のディスク状記録媒体１００が収納可能とされベース面部７を有する第１のシェル３と基面部４２を有する第２のシェル４とが離接することにより結合又は分離されるケース体２を備え、第１のシェル又は第２のシェルの一方にカートリッジ保持機構によって把持される把持部６ｃ、６ｃが形成され、把持部がケース体に収納されたディスク状記録媒体の軸方向における投影面以外の位置に形成されるようにした。【選択図】図２
2011248949.tif 000002
【特許請求の範囲】
【請求項１】
複数のディスク状記録媒体が中心軸の軸方向において並んで内部に収納可能とされると共にディスク状記録媒体の記録面に平行なベース面部を有する第１のシェルとディスク状記録媒体の記録面に平行な基面部を有する第２のシェルとが前記軸方向において離接することにより結合又は分離されるケース体を備え、
前記第１のシェル又は前記第２のシェルの一方にカートリッジ保持機構によって把持される把持部が形成され、
前記把持部がケース体に収納された前記ディスク状記録媒体の前記軸方向における投影面以外の位置に形成された
ディスクカートリッジ。
【請求項２】
前記ケース体の内部に補強部を設けた
請求項１に記載のディスクカートリッジ。
【請求項３】
前記補強部を少なくとも前記把持部が形成された部分に設けた
請求項２に記載のディスクカートリッジ。
【請求項４】
前記補強部に、内側に複数の空間が形成された複数の仕切壁を設けた
請求項２に記載のディスクカートリッジ。
【請求項５】
前記補強部の一部を前記ケース体に収納された前記ディスク状記録媒体の位置を規制する規制部として設けた
請求項２に記載のディスクカートリッジ。
【請求項６】
前記把持部として、ケース体に収納される前記ディスク状記録媒体の前記軸方向に直交する方向において離隔する一対の溝部を形成した
請求項１に記載のディスクカートリッジ。
【発明の詳細な説明】
【技術分野】
【０００１】
本発明はディスクカートリッジについての技術分野に関する。詳しくは、第１のシェル又は第２のシェルの一方にディスク状記録媒体の軸方向における投影面以外の位置にカートリッジ保持機構によって把持される把持部を形成してディスク状記録媒体に対する負荷の軽減及びケース体の強度の向上を図る技術分野に関する。
【背景技術】
【０００２】
複数のディスク状記録媒体が中心軸の軸方向において並んで内部に収納可能とされたディスクカートリッジがある。このようなディスクカートリッジは、例えば、音楽再生用のディスク再生装置に用いられ、所望のディスク状記録媒体が取出機構によって取り出されてディスク状記録媒体に記録されている音楽データーの演奏が行われる（例えば、特許文献１参照）。
【０００３】
また、近年、ディスク状記録媒体の記録容量の飛躍的な増大が図られ、記録容量の大きな複数のディスク状記録媒体が中心軸の軸方向において並んで収納可能とされデーターセンター等において用いられるディスクカートリッジの必要性も高まっている。
【０００４】
上記のようなディスクカートリッジには、各ディスク状記録媒体の外周部が一対の保持溝に挿入された状態で収納されるタイプがある。このようなタイプのディスクカートリッジはディスク状記録媒体を保持するディスクトレイを必要としないため、収納スペースが小さく小型化を図ることができると共に収納枚数を増やして保存するデーター量の増加を図ることも可能である。
【０００５】
また、ディスクカートリッジにあっては、ケース体が分離可能な第１のシェルと第２のシェルによって構成され、第１のシェルと第２のシェルの分離状態においてケース体に対するディスク状記録媒体の収納及び取出が行われ、第１のシェルと第２のシェルを結合状態においてロックするロックレバーを有しているタイプの実用化が考慮されている。
【０００６】
上記のようなディスクカートリッジは、カートリッジ保持機構によって把持されて所定の各位置の間を移動される。従って、ケース体にはカートリッジ保持機構によって把持される把持部が形成されている。
【０００７】
【特許文献１】特開昭６３−２９３９２号公報
【発明の開示】
【発明が解決しようとする課題】
【０００８】
ところが、ディスクカートリッジがカートリッジ保持機構によって把持されたときに、ディスク状記録媒体の収納位置とカートリッジ保持機構によって把持される把持部の位置との間の位置関係によっては、収納されているディスク状記録媒体にカートリッジ保持機構から負荷が付与されディスク状記録媒体の変形等によりデーターの保存に支障を来たす可能性がある。
【０００９】
また、ケース体の強度によっては、収納されているディスク状記録媒体に対するカートリッジ保持機構からの負荷が増加してしまうおそれもある。
【００１０】
そこで、本発明ディスクカートリッジは、上記した問題点を克服し、ディスク状記録媒体に対する負荷の軽減及びケース体の強度の向上を図ることを課題とする。
【課題を解決するための手段】
【００１１】
ディスクカートリッジは、上記した課題を解決するために、複数のディスク状記録媒体が中心軸の軸方向において並んで内部に収納可能とされると共にディスク状記録媒体の記録面に平行なベース面部を有する第１のシェルとディスク状記録媒体の記録面に平行な基面部を有する第２のシェルとが前記軸方向において離接することにより結合又は分離されるケース体を備え、前記第１のシェル又は前記第２のシェルの一方にカートリッジ保持機構によって把持される把持部が形成され、前記把持部がケース体に収納された前記ディスク状記録媒体の前記軸方向における投影面以外の位置に形成されたものである。
【００１２】
従って、ディスクカートリッジにあっては、把持部が第１のシェルと第２のシェルに跨らないディスク状記録媒体の投影面以外の位置に存在する。
【００１３】
上記したディスクカートリッジにおいては、前記ケース体の内部に補強部を設けることが望ましい。
【００１４】
ケース体の内部に補強部を設けることにより、ケース体の強度が向上する。
【００１５】
上記したディスクカートリッジにおいては、前記補強部を少なくとも前記把持部が形成された部分に設けることが望ましい。
【００１６】
補強部を少なくとも把持部が形成された部分に設けることにより、把持部の強度が高くなる。
【００１７】
上記したディスクカートリッジにおいては、前記補強部に内側に複数の空間を有する複数の仕切壁を設けることが望ましい。
【００１８】
補強部に、内側に複数の空間が形成された複数の仕切壁を設けることにより、ケース体の内部に設けられた補強部の内部に空間が形成される。
【００１９】
上記したディスクカートリッジにおいては、前記補強部の一部を前記ケース体に収納された前記ディスク状記録媒体の位置を規制する規制部として設けることが望ましい。
【００２０】
補強部の一部をケース体に収納されたディスク状記録媒体の位置を規制する規制部として設けることにより、補強部によってディスク状記録媒体の位置が規制される。
【００２１】
上記したディスクカートリッジにおいては、前記把持部として、ケース体に収納される前記ディスク状記録媒体の前記軸方向に直交する方向において離隔する一対の溝部を形成することが望ましい。
【００２２】
把持部としてディスク状記録媒体の前記軸方向に直交する方向において離隔する一対の溝部を形成することにより、把持部が外方へ突出されない。
【発明の効果】
【００２３】
本発明ディスクカートリッジは、複数のディスク状記録媒体が中心軸の軸方向において並んで内部に収納可能とされると共にディスク状記録媒体の記録面に平行なベース面部を有する第１のシェルとディスク状記録媒体の記録面に平行な基面部を有する第２のシェルとが前記軸方向において離接することにより結合又は分離されるケース体を備え、前記第１のシェル又は前記第２のシェルの一方にカートリッジ保持機構によって把持される把持部が形成され、前記把持部がケース体に収納された前記ディスク状記録媒体の前記軸方向における投影面以外の位置に形成されている。
【００２４】
従って、把持部の高い強度が確保されると共にディスクカートリッジがカートリッジ保持機構によって把持されたときにディスク状記録媒体にカートリッジ保持機構から負荷が付与され難く、ディスク状記録媒体に記録されているデーターを良好に保存することができる。
【００２５】
請求項２に記載した発明にあっては、前記ケース体の内部に補強部を設けている。
【００２６】
従って、ケース体の強度の向上を図ることができ、ケース体の損傷や傷付きを防止することができる。
【００２７】
請求項３に記載した発明にあっては、前記補強部を少なくとも前記把持部が形成された部分に設けている。
【００２８】
従って、把持部の強度が高くなり、ディスク状記録媒体に記録されているデーターを一層良好に保存することができる。
【００２９】
請求項４に記載した発明にあっては、前記補強部に、内側に複数の空間が形成された複数の仕切壁を設けている。
【００３０】
従って、簡単な構造によってケース体の強度の向上を図ることができると共に複数の空間を有しているため水没し難く水中に浮遊したときの回収時間を長くすることができる。
【００３１】
請求項５に記載した発明にあっては、前記補強部の一部を前記ケース体に収納された前記ディスク状記録媒体の位置を規制する規制部として設けている。
【００３２】
従って、部品点数の削減及び製造コストの低減を図った上でディスク状記録媒体の位置規制を行うことができる。
【００３３】
請求項６に記載した発明にあっては、前記把持部として、ケース体に収納される前記ディスク状記録媒体の前記軸方向に直交する方向において離隔する一対の溝部を形成している。
【００３４】
従って、把持部の構造が簡素であり製造コストの低減を図ることができると共に把持部が外方へ突出されていないためディスクカートリッジの小型化を図ることができる。
【発明を実施するための最良の形態】
【００３５】
以下に、本発明ディスクカートリッジの実施の形態を添付図面に従って説明する。
【００３６】
以下の説明にあっては、ディスクカートリッジをディスクチェンジャーのカートリッジ挿脱口から挿入する方向を前方として前後上下左右の方向を示すものとする。
【００３７】
尚、以下に示す前後上下左右の方向は説明の便宜上のものであり、本発明の実施に関しては、これらの方向に限定されることはない。
【００３８】
［全体構成］
ディスクカートリッジ１はケース体２の内部に所要の各部が配置されて成り、ケース体２は第１のシェル３と第２のシェル４を有している。ケース体２の内部には複数のディスク状記録媒体１００、１００、・・・が上下方向に等間隔で収納可能とされている。
【００３９】
第１のシェル３と第２のシェル４は、例えば、上下方向において結合又は分離可能とされている（図１乃至図３参照）。尚、ケース体２が縦長の状態とされている場合には、第１のシェル３と第２のシェル４は、左右方向において結合又は分離される。
【００４０】
第１のシェル３は樹脂材料によって形成され、ベース体５と該ベース体５の後端部に取り付けられた補助ベース６とが上下方向において結合されて成る。
【００４１】
ベース体５は、図４及び図５に示すように、上下方向を向くベース面部７と該ベース面部７の左右両端部からそれぞれ下方へ突出されたサイド面部８、８とベース面部７の後端部から下方へ突出されたリア面部９とベース面部７の下面側における後端部に設けられた補強部１０とを有している。
【００４２】
ベース面部７の中央部には下方へ突出された丸軸状のセンターピン１１が設けられている。ベース面部７の前端部には下方へ突出されたネジ止めボス１２、１２が左右に離隔して設けられている。
【００４３】
ベース面部７の前端寄りの位置には下方へ突出された支持軸１３、１３が左右に離隔して設けられ、支持軸１３、１３はそれぞれ上端部がバネ支持部１３ａ、１３ａとして設けられ、上端部以外の部分がバネ支持部１３ａ、１３ａより径の小さいレバー支持部１３ｂ、１３ｂとして設けられている。ベース面部７の下面における支持軸１３、１３の近傍の位置には、それぞれバネ掛け突部１４、１４が設けられている。
【００４４】
サイド面部８、８の後端寄りの位置には、それぞれ下方に開口された支持凹部８ａ、８ａが形成されている。
【００４５】
補強部１０は、前方側に位置し水平方向を向く外壁１５と、外壁１５とサイド面部８、８の後端部とリア面部９によって囲まれた領域に設けられた複数の仕切壁１６、１６、・・・とから成り、下方に開口されている。仕切壁１６、１６、・・・は各端部がベース面部７、サイド面部８、８、リア面部９又は外壁１５に連続して設けられている。
【００４６】
外壁１５は左右両端部がそれぞれ前方を向く平面部１５ａ、１５ａとして設けられ平面部１５ａ、１５ａ間の部分が前方に凹の緩やかな円弧状に形成された規制部１５ｂとして設けられている。規制部１５ｂの曲率はディスク状記録媒体１００の外周面の曲率と同じにされている。
【００４７】
補強部１０には規制部１５ｂの左右両側にそれぞれ前方及び下方に開口された凹部１０ａ、１０ａが形成されている。
【００４８】
仕切壁１６、１６、・・・は、例えば、正六角形状又はその一部の形状に形成されている。但し、仕切壁１６、１６、・・・の形状は正六角形状又はその一部に限られることはなく、内部に空間が生じる形状であれば任意である。
【００４９】
補助ベース６は横長の底面板１７と底面板１７の左右両端部からそれぞれ上方へ突出された側面板１８、１８と底面板１７の後端部から上方へ突出された後面板１９と底面板１７の前端部から上方へ突出された前面板２０とを有し、上方に開口されている。補助ベース６は補強部１０と同様に第１のシェル３を補強し第１のシェル３の強度を高める補強部として機能する。
【００５０】
底面板１７の後端部における下面側には浅い凹状部１７ａが形成されている。
【００５１】
前面板２０は左右両端部がそれぞれ前方を向く平面部２０ａ、２０ａとして設けられ平面部２０ａ、２０ａ間の部分が前方に凹の緩やかな円弧状に形成された規制部２０ｂとして設けられている。前面部２０は第１のシェル３のベース体５における補助部１０の外壁１５と同じ大きさ及び形状に形成されている。
【００５２】
補助ベース６には規制部２０ｂの左右両側にそれぞれ前方及び上方に開口された凹部６ａ、６ａが形成されている。補助ベース６の左右両端部にはそれぞれ上方に開口された支持凹部６ｂ、６ｂが形成されている。補助ベース６の左右両端部における下端部にはそれぞれ側方及び下方に開口された溝状の把持部６ｃ、６ｃが形成されている。
【００５３】
補助ベース６の内部には複数の仕切壁６ｄ、６ｄ、・・・が設けられている。仕切壁６ｄ、６ｄ、・・・は底面板１７、側面板１８、１８、後面板１９及び前面板２０に連続して設けられ、補強部１０の仕切壁１６、１６、・・・と同じ大きさ及び形状に形成されている。
【００５４】
補助ベース６はベース体５にネジ止め等によって取り付けられる。補助ベース６がベース体５に取り付けられた状態においては、仕切壁１６、１６、・・・と仕切壁６ｄ、６ｄ、・・・が重ね合わされ、内部に複数の空間が形成される。また、ベース体５の支持凹部８ａ、８ａと補助ベース６の支持凹部６ｂ、６ｂとがそれぞれ上下に対応して位置されてそれぞれスライダー支持部３ａ、３ａが形成される（図２及び図３参照）。さらに、ベース体５の凹部１０ａ、１０ａと補助ベース６の凹部６ａ、６ａとがそれぞれ上下に対応して位置されてそれぞれ挿入凹部３ｂ、３ｂが形成される。さらにまた、ベース体５の外壁１５と補助ベース６の前面板２０が重ね合わされる。
【００５５】
第１のシェル３の支持軸１３、１３にはそれぞれロックレバー２１、２１が回動自在に支持される（図３乃至図５参照）。
【００５６】
ロックレバー２１は、図６及び図７に示すように、支持軸１３が挿入されて支持される円筒状の被支持部２２と、被支持部２２の略上半部から略前方へ突出されたロック部２３と、被支持部２２の略下半部から斜め前方へ突出されたロック解除部２４と、被支持部２２から略後方へ突出されたバランス部２５とから成る。
【００５７】
ロック部２３は外周面（前方側の面）が被支持部２２の中心軸を中心とした円弧面状に形成され、先端部に側方へ突出されたロック用突部２３ａを有している。ロック用突部２３ａは先端に行くに従って外形が小さくなる先細りの形状に形成されている。ロック部２３にはロック用突部２３ａの上面に上方へ突出された突状部２６が設けられている。突状部２６はロック用突部２３ａの先端から遠去かるに従って上方へ変位するように傾斜された摺接面２６ａを有している。
【００５８】
ロック部２３には上方へ突出されたバネ支持突部２３ｂが設けられている。
【００５９】
ロック解除部２４の先端部には挿入用突部２７が設けられている。挿入用突部２７は横長の略板状に形成され、先端面が前後方向に対して左右方向へ傾斜された傾斜面２７ａとして形成されている。挿入用突部２７の左右の側面２７ｂ、２７ｂはそれぞれ被支持部２２の中心軸を中心とした円弧面状に形成されている。
【００６０】
バランス部２５は被支持部２２から後方へ突出された突部２８と突部２８の先端部から上下に突出された規制用突部２９とから成る。規制用突部２９の後面はディスク状記録媒体１００の外周面に沿う円弧面状に形成された規制面２９ａとして形成されている。
【００６１】
ロックレバー２１、２１はそれぞれ被支持部２２、２２に支持軸１３、１３のレバー支持部１３ｂ、１３ｂが挿入され支持軸１３、１３の各中心軸を中心として回動可能とされる（図８参照）。ロックレバー２１、２１が支持軸１３、１３に支持された状態において、ロックレバー２１、２１は付勢バネ３０、３０によってロック部２３、２３のロック用突部２３ａ、２３ａがそれぞれサイド面部８、８に近付く方向へ付勢される。
【００６２】
付勢バネ３０は、例えば、捩じりコイルバネであり、コイル部３０ａとコイル部３０ａからそれぞれ突出された一対の腕部３０ｂ、３０ｃとから成る。付勢バネ３０は、コイル部３０ａが支持軸１３のバネ支持部１３ａに支持され、一方の腕部３０ｂが第１のシェル３のベース面部７に設けられたバネ掛け突部１４に係合され、他方の腕部３０ｃがロックレバー２１のロック部２３に設けられたバネ支持突部２３ｂに係合される。
【００６３】
第１のシェル３のスライダー支持部３ａ、３ａにはそれぞれロックスライダー３１、３１が前後方向へスライド自在に支持される（図３乃至図５参照）。
【００６４】
ロックスライダー３１は、図９に示すように、前後に延びる被支持部３２と被支持部３２の前端部を除く部分から内方へ突出されたロック部３３とロック部３３の後面から後方へ突出されたバネ支持軸部３４とから成る。ロック部３３の前端寄りの位置における上面には上方へ突出された突状部３５が設けられている。突状部３５は後方へ行くに従って上方へ変位するように傾斜された摺接面３５ａを有している。
【００６５】
ロックスライダー３１、３１は被支持部３２、３２がそれぞれ第１のシェル３のスライダー支持部３ａ、３ａにスライド自在に支持され、バネ支持軸部３４、３４にそれぞれコイルバネ３６、３６が支持される。コイルバネ３６は両端がそれぞれロック部３３の後面とスライダー支持部３ａを形成する後面とに接する。従って、ロックスライダー３１はコイルバネ３６によって前方へ付勢される。
【００６６】
第１のシェル３の前端部には開閉パネル３７がネジ止めによって取り付けられている（図１乃至図３参照）。開閉パネル３７は、図４及び図５に示すように、前後方向を向く横長の矩形の板状に形成されたパネル部３８とパネル部３８の後面における下端部から後方へ突出された被取付突部３９、３９とパネル部３８の後面に設けられたネジ止め部４０、４０とパネル部３８の後面から後方へ突出された挿入部４１、４１とを有している。
【００６７】
パネル部３８の後面には後方に開口された挿入用凹部３８ａ、３８ａが左右に離隔して形成されている。挿入用凹部３８ａ、３８ａは円弧状の凹部として形成されている。パネル部３８の左右両端部にはそれぞれ外方に開口された挿入用切欠３８ｂ、３８ｂが形成されている。
【００６８】
被取付突部３９、３９は左右に離隔して設けられ、ネジ止め部４０、４０はそれぞれ被取付突部３９、３９の内側において左右に離隔して設けられ、挿入部４１、４１はそれぞれ被取付突部３９、３９の上側に設けられている。
【００６９】
挿入部４１は上下方向から見て三角形状に形成され、先端面が外側から内側へ行くに従ってパネル部３８に近付く斜面４１ａとして形成されている。
【００７０】
開閉パネル３７には左右に離隔して挿入孔３７ａ、３７ａが形成されている。挿入孔３７ａ、３７ａはパネル部３８と挿入部４１、４１に亘って形成されている。
【００７１】
開閉パネル３７は、被取付突部３９、３９の先端部がそれぞれベース面部７に設けられた支持軸１３、１３の下面にネジ止めされ、ネジ止め部４０、４０がそれぞれベース面部７に設けられたネジ止めボス１２、１２の下面にネジ止めされ、第１のシェル３に取り付けられる。
【００７２】
開閉パネル３７が第１のシェル３に取り付けられた状態においては、被取付突部３９、３９がそれぞれ支持軸１３、１３の下方においてネジ止めされており、支持軸１３、１３に支持されたロックレバー２１、２１及び付勢バネ３０、３０の支持軸１３、１３からの脱落が防止される。被取付突部３９、３９がそれぞれ支持軸１３、１３の下方においてネジ止めされて取り付けられた状態においては、ロックレバー２１、２１におけるロック部２３、２３の下面に被取付突部３９、３９の上面が近接して位置される。
【００７３】
開閉パネル３７が第１のシェル３に取り付けられた状態において、挿入孔３７ａ、３７ａの真後ろにそれぞれロックレバー２１、２１のロック解除部２４、２４が位置される。
【００７４】
第２のシェル４は樹脂材料によって形成され、上下方向を向く基面部４２と基面部４２の左右両端部からそれぞれ上方へ突出された側面部４３、４３が一体に形成されて成る（図３、図５及び図１０参照）。
【００７５】
基面部４２の左右方向における中央部は他の部分より僅かに厚みが薄くされた薄肉部４２ａとして設けられている。薄肉部４２ａは上方に凹の段差面として形成されている。
【００７６】
側面部４３は外側壁部４４と外側壁部４４の内側に位置する内側壁部４５とから成り、外側壁部４４と内側壁部４５の間には前後に離隔する複数の一定の隙間が形成されている。
【００７７】
外側壁部４４は高さが内側壁部４５の高さの略半分にされ、上面が内側壁部４５の上面より低くされている。
【００７８】
内側壁部４５は前後に延びる直線部４６と直線部４６の後端寄りの位置に連続し後方へ行くに従って内側へ変位する円弧状に形成された円弧部４７とを有している。
【００７９】
内側壁部４５の前端部には前方に開口され左右に貫通された第１のロック用凹部４５ａが形成されている。内側壁部４５の直線部４６における後端寄りの位置には後方及び外方に開口された第２のロック用凹部４５ｂが形成されている。
【００８０】
内側壁部４５の後端寄りの位置には上方に開口された取付穴４５ｃが形成されている。内側壁部４５の上面には取付穴４５ｃの周囲の部分に他の部分より僅かに高さが低くされた段差面４５ｄが形成されている。
【００８１】
内側壁部４５の直線部４６の外面には前後に離隔し上下に延びるリブ４６ａ、４６ａ、・・・が設けられ、リブ４６ａ、４６ａ、・・・の外面がそれぞれ外側壁部４４の内面に連続されている。内側壁部４５の後端部は後方へ突出された挿入部４５ｆとして設けられている。
【００８２】
内側壁部４５の内面には保持溝４５ｅ、４５ｅ、・・・が形成され、保持溝４５ｅ、４５ｅ、・・・は上下方向において等間隔に離隔して位置されている。
【００８３】
一方の内側壁部４５にはバネ取付凹部４８が形成されている。バネ取付凹部４８は上方に開口された挿入取付部４８ａと上方及び直線部４６の内面に開口された突出用凹部４８ｂとから成り、突出用凹部４８ｂは挿入取付部４８ａの後端部に連通されている。
【００８４】
バネ取付凹部４８には押さえバネ４９が挿入されて取り付けられている（図２及び図４参照）。押さえバネ４９は、図１０に示すように、縦長の板状の被取付部４９ａと被取付部４９ａの後縁から突出されたバネ部４９ｂ、４９ｂ、・・・とが金属材料によって一体に形成されて成る。バネ部４９ｂ、４９ｂ、・・・は保持溝４５ｅ、４５ｅ、・・・の上下の間隔と同じ間隔で上下方向において等間隔に離隔して設けられ、保持溝４５ｅ、４５ｅ、・・・と同数が設けられている。
【００８５】
押さえバネ４９は被取付部４９ａが挿入取付部４８ａに挿入されバネ部４９ｂ、４９ｂ、・・・が突出用凹部４８ｂに挿入されてバネ取付部４８に取り付けられる。押さえバネ４９がバネ取付部４８に取り付けられた状態においては、バネ部４９ｂ、４９ｂ、・・・の先端部が直線部４６の内側に突出される。
【００８６】
第２のシェル４の側面部４３、４３間にはブリッジ部材５０が取り付けられる（図２及び図１０参照）。
【００８７】
ブリッジ部材５０は板状の金属材料が所定の形状に折り曲げられて形成され、左右に延びる架け渡し部５０ａと架け渡し部５０ａの左右両端部からそれぞれ下方へ折り曲げられて形成された折曲部５０ｂ、５０ｂと折曲部５０ｂ、５０ｂの下縁からそれぞれ外方へ折り曲げられて形成された被取付面部５０ｃ、５０ｃとから成る。
【００８８】
ブリッジ部材５０は架け渡し部５０ａの厚みが第２のシェル４の内側壁部４５、４５に形成された段差面４５ｄ、４５ｄの深さと同じにされている。
【００８９】
ブリッジ部材５０は折曲部５０ｂ、５０ｂと被取付面部５０ｃ、５０ｃがそれぞれ内側壁部４５、４５の取付穴４５ｃ、４５ｃに挿入され被取付面部５０ｃ、５０ｃがネジ止め等によって第２のシェル４に取り付けられる。ブリッジ部材５０が第２のシェル４に取り付けられた状態においては、図１１及び図１２に示すように、架け渡し部５０ａの左右両端部がそれぞれ内側壁部４５、４５の段差面４５ｄ、４５ｄに配置され、架け渡し部５０ａの上面と内側壁部４５、４５の段差面４５ｄ、４５ｄ以外の部分の上面とが同一平面上に位置される。
【００９０】
上記したように、第２のシェル４は基面部４２の左右方向における中央部に薄肉部４２ａを有し、側面部４３、４３間にブリッジ部材５０が取り付けられている。
【００９１】
このように基面部４２の左右方向における中央部に薄肉部４２ａを設けることにより、基面部４２の薄肉部４２ａ以外の部分の高い強度が確保され変形が生じ難く薄肉部４２ａに応力が集中し易いが、ブリッジ部材５０によって側面部４３、４３を連結しているため、第２のシェル４の全体としての高い強度を確保することができる。
【００９２】
また、ブリッジ部材５０によって側面部４３、４３を連結しているため、側面部４３、４３間の距離が一定に保持され、側面部４３、４３に形成された保持溝４５ｅ、４５ｅ、・・・の位置精度が向上する。従って、保持溝４５ｅ、４５ｅ、・・・に保持されるディスク状記録媒体１００、１００、・・・の位置精度が向上し、ディスク状記録媒体１００、１００、・・・の良好な保持状態を確保することができる。
【００９３】
さらに、第２のシェル４が樹脂材料によって形成され、ブリッジ部材５０が金属材料によって形成されている。従って、第２のシェル４の成形性の向上を図ることができると共に第２のシェル４の全体としての強度の一層の向上及び側面部４３、４３の位置精度の一層の向上を図ることができる。
【００９４】
さらにまた、ブリッジ部材５０は架け渡し部５０ａと架け渡し部５０ａの左右両端部から直交する同じ方向へ突出された一対の折曲部５０ｂ、５０ｂとを設けている。従って、ブリッジ部材５０の強度の向上が図られ、第２のシェル４の全体としての一層の強度の向上及び側面部４３、４３の位置精度の一層の向上を図ることができる。
【００９５】
加えて、ブリッジ部材５０の架け渡し部５０ａの上面と側面部４３、４３の上面とが同一平面上に位置するようにブリッジ部材５０が取り付けられているため、側面部４３、４３がそれぞれ架け渡し部５０ａの左右両端面に内方から押さえられる（図１２参照）。従って、側面部４３、４３の位置精度の一層の向上を図ることができる。
【００９６】
また、ブリッジ部材５０の架け渡し部５０ａの上面と側面部４３、４３の上面とが同一平面上に位置するようにブリッジ部材５０が取り付けられていることにより、ディスクカートリッジ１の上下方向における薄型化を図ることができる。
【００９７】
上記には、基面部４２の左右方向における中央部に段差を形成して薄肉部４２ａを設けた例を示したが、薄肉部はこのような形状に限られることはない。例えば、図１３に示すように、基面部４２Ａの中央に行くに従って厚みを薄くして薄肉部４２ｂを形成してもよく、また、図１４に示すように、基面部４２Ｂの左右両側の部分を中央に行くに従って厚みを薄くし中央部の厚みを一定にして薄肉部４２ｃを形成してもよい。
【００９８】
以上のように構成されたディスクカートリッジ１において、ディスク状記録媒体１００、１００、・・・がケース体２の内部に保持される（図２参照）。ディスク状記録媒体１００は第１のシェル３と第２のシェル４が分離された状態において、外周部が第２のシェル４の側面部４３、４３に形成された保持溝４５ｅ、４５ｅに前方から挿入されケース体２の内部に保持される。従って、第２のシェル４の前端に位置する開口はディスク状記録媒体１００、１００、・・・の第２のシェル４に対する挿入及び取出が行われるディスク挿脱口４ａとして形成される。
【００９９】
第１のシェル３と第２のシェル４が結合され第１のシェル３に開閉パネル３７が取り付けられてケース体２が構成された状態においては、第１のシェル３におけるサイド面部８、８の下面と第２のシェル４における外側壁部４４、４４の上面との間にそれぞれ前後に延びる挿入溝２ａ、２ａが形成される（図１参照）。挿入溝２ａ、２ａは、後端がそれぞれ第１のシェル３のスライダー支持部３ａ、３ａに連続され、前端がそれぞれ開閉パネル３７のパネル部３８に形成された挿入用切欠３８ｂ、３８ｂに連続される。
【０１００】
上記のようにケース体２が構成された状態においては、第２のシェル４の内側壁部４５、４５に設けられたリブ４６ａ、４６ａ、・・・の外面が第１のシェル３のサイド面部８、８の内面にそれぞれ接した状態とされる。従って、内側壁部４５、４５とサイド面部８、８とが面接触されておらず、第１のシェル３に側方から負荷が付与されたときに内側壁部４５、４５に伝達される負荷が軽減され、耐衝撃性の向上を図ることができる。
【０１０１】
［ディスクカートリッジの結合動作及び分離動作］
以下に、ディスクカートリッジ１の結合動作及び分離動作について説明する（図１５乃至図２７参照）。
【０１０２】
先ず、第１のシェル３と第２のシェル４が結合されている状態について説明する（図１５及び図１６参照）。
【０１０３】
第１のシェル３と第２のシェル４はベース体５のベース面部７と基面部４２が上下で対向した状態で結合されている。
【０１０４】
第１のシェル３と第２のシェル４が結合された状態においては、ロックレバー２１、２１及びロックスライダー３１、３１によって第１のシェル３と第２のシェル４がロックされている。
【０１０５】
ロックレバー２１、２１は付勢バネ３０、３０の付勢力によってロック部２３、２３の先端部が互いに離隔する方向（外方）における回動端に位置され（図１５参照）、ロック部２３、２３が第２のシェル４の側面部４３、４３にそれぞれ形成された第１のロック用凹部４５ａ、４５ａに挿入されて係合されている。このとき第１のロック用凹部４５ａ、４５ａはロック部２３、２３によって隙間なく閉塞されている。
【０１０６】
ロックスライダー３１、３１はコイルバネ３６、３６の付勢力によって前方の移動端に位置され（図１５及び図１６参照）、ロック部３３、３３が第２のシェル４の側面部４３、４３に形成された第２のロック用凹部４５ｂ、４５ｂに挿入されて係合されている。
【０１０７】
上記のように第１のシェル３と第２のシェル４が結合されてロックされディスク状記録媒体１００、１００、・・・がケース体２の内部に保持された状態においては、ディスク状記録媒体１００、１００、・・・の外周面の一部に押さえバネ４９のバネ部４９ｂ、４９ｂ、・・・がそれぞれ接して押さえられている（図１５参照）。このとき保持溝４５ｅ、４５ｅ、・・・のうち、側面部４３、４３の円弧面部４７、４７にそれぞれ形成された部分にディスク状記録媒体１００、１００、・・・の外周面における他の部分が押し付けられディスク状記録媒体１００、１００、・・・がケース体２の内部において正規の位置に位置決めされている。
【０１０８】
ディスク状記録媒体１００、１００、・・・が正規の位置に位置決めされた状態においては、第１のシェル３の補強部１０に設けられた外壁１５の規制部１５ｂ又は補助ベース６に設けられた前面板２０の規制部２０ｂがディスク状記録媒体１００の外周面のうちの後端側の部分に近接して位置されている。また、ロックレバー２１、２１のバランス部２５、２５にそれぞれ形成された規制面２９ａ、２９ａがディスク状記録媒体１００の外周面のうちの前端寄りの部分に近接して位置されている。
【０１０９】
従って、ディスクカートリッジ１に振動や衝撃が付与されてディスク状記録媒体１００、１００、・・・が位置決めされた位置から変位してしまった場合にも、規制部１５ｂ、規制部２０ｂ又は規制面２９ａ、２９ａによってディスク状記録媒体１００、１００、・・・の位置が規制され位置決めされた状態が保持される。
【０１１０】
また、第１のシェル３と第２のシェル４が結合された状態において、ロックレバー２１、２１のロック解除部２４、２４はそれぞれ付勢バネ３０、３０の付勢力によって開閉パネル３７の挿入部４１、４１の斜面４１ａ、４１ａに後方から押し付けられている。このとき挿入用突部２７、２７がそれぞれ開閉パネル３７の挿入孔３７ａ、３７ａに後方から挿入されている。
【０１１１】
このようにディスクカートリッジ１にあっては、ロックレバー２１、２１の挿入用突部２７、２７がそれぞれ開閉パネル３７の挿入孔３７ａ、３７ａに挿入されているため、ケース体２の内部に外部から塵埃や水分が侵入し難くケース体２の密閉性が高く、ディスク状記録媒体１００、１００、・・・に記録されたデーターの良好な保存状態を確保することができる。
【０１１２】
また、挿入用突部２７、２７の左右の側面２７ｂ、２７ｂがそれぞれ被支持部２２、２２の中心軸を中心とした円弧状に形成されているため、ロックレバー２１、２１の回動時において挿入用突部２７、２７の挿入孔３７ａ、３７ａに対する円滑な挿入動作及び引出動作を行うことができる。さらに、側面２７ｂ、２７ｂが被支持部２２、２２の中心軸を中心とした円弧状に形成されているため、挿入用突部２７、２７が挿入孔３７ａ、３７ａに挿入された状態において、ロックレバー２１、２１の回動位置に拘わらずケース体２の良好な密閉性を確保することができる。
【０１１３】
尚、挿入用突部２７、２７は、図１７に示すように、先端に行くに従って外形が小さくなる先細りの形状に形成されていてもよい。挿入用突部２７、２７を先細りの形状に形成することにより、挿入用突部２７、２７の外周面がそれぞれ挿入孔３７ａ、３７ａの後側開口縁に密着し易くなり、ケース体２の内部における密閉性の一層の向上を図ることができる。
【０１１４】
さらに、ディスクカートリッジ１にあっては、第１のシェル３と第２のシェル４が結合された状態において、ロックレバー２１、２１におけるロック部２３、２３のロック用突部２３ａ、２３ａが第２のシェル４の側面部４３、４３に形成された第１のロック用凹部４５ａ、４５ａに挿入され第１のロック用凹部４５ａ、４５ａがロック用突部２３ａ、２３ａによって閉塞される。
【０１１５】
従って、ケース体２の内部における密閉性の一層の向上を図ることができる。
【０１１６】
加えて、ロック部２３、２３のロック用突部２３ａ、２３ａが先細りの形状に形成されているため、ロック用突部２３ａ、２３ａがそれぞれ第１のロック用凹部４５ａ、４５ａの開口縁に密着し易くなり、ケース体２の内部における密閉性の一層の向上を図ることができる。
【０１１７】
尚、ロックレバー２１、２１をそれぞれ支持軸１３、１３の軸方向に移動可能とし、開閉パネル３７の挿入用凹部３８ａ、３８ａを形成する上下両面に案内面として傾斜面を形成することが望ましい。このように構成することにより、ロックレバー２１、２１の挿入用凹部３８ａ、３８ａに対する挿入性の向上を図ることができる。
【０１１８】
第１のシェル３と第２のシェル４が結合された状態においては、ディスク状記録媒体１００、１００、・・は中心孔１００ａ、１００ａ、・・・に第１のシェル３に設けられたセンターピン１１が挿入される。このときディスク状記録媒体１００、１００、・・・の前端には開閉パネル３７のパネル部３８における内面が近接して位置されている。
【０１１９】
ディスクカートリッジ１にあっては、以下のような寸法関係が設定されている（図１８参照）。尚、図１８は、以下の説明を容易にするために、ディスク状記録媒体１００がセンターピン１１に後方へ押し付けられたときの状態を示す概念図である。
【０１２０】
センターピン１１の直径Ｄ１とディスク状記録媒体１００の中心孔１００ａの直径Ｄ２との差をＡとし、ロックレバー２１、２１のロック解除部２４、２４にそれぞれ設けられた規制面２９ａ、２９ａを延長した円の直径Ｄ３とディスク状記録媒体１００の直径Ｄ４との差をＢとし、ディスク状記録媒体１００がセンターピン１１に後方へ押し付けられたときのディスク状記録媒体１００の外周面と開閉パネル３７の内面との差をＣとする。
【０１２１】
このときディスクカートリッジ１にあっては、Ｃ＞Ａ＞Ｂとなるような寸法関係が設定されている。
【０１２２】
従って、ディスク状記録媒体１００が正規の位置（図１５参照）に位置決めされた状態に対して位置ずれが生じた場合においては、最も距離の差が小さいＢによってディスク状記録媒体１００の外周面がロック解除部２４、２４の規制面２９ａ、２９ａに接して位置が規制される。
【０１２３】
また、ディスクカートリッジ１に対して大きな衝撃等が付与され大きな位置ずれやディスクカートリッジ１又はディスク状記録媒体１００の変形等が生じた場合にあっても、Ｃより距離の差が小さいＡによってセンターピン１１にディスク状記録媒体１００の内周面が接してディスク状記録媒体１００の位置が規制される。
【０１２４】
このようにディスク状記録媒体１００の位置ずれが生じた場合には、規制面２９ａ、２９ａによってディスク状記録媒体１００の位置が規制され、又は、センターピン１１によってディスク状記録媒体１００の位置が規制され、ディスク状記録媒体１００の外周面が開閉パネル３７におけるパネル部３８の内面に接することがない。
【０１２５】
従って、第１のシェル３が第２のシェル４に対して上方へ移動され第１のシェル３と第２のシェル４が分離されるときに、パネル部３８がディスク状記録媒体１００の外周面に摺接することがなく、ディスク状記録媒体１００の損傷や破損の発生を防止することができる。
【０１２６】
また、ディスクカートリッジ１にあっては、第１のシェル３と第２のシェル４をロックするロックレバー２１に被支持部２２とロック部２３とロック解除部２４の他にバランス部２５を設け、バランス部２５を設けることによりロックレバー２１の重心が被支持部２２の中心又はその近傍に位置されるようにしている。
【０１２７】
従って、ケース体２に大きな衝撃が付与されたとき、例えば、ディスクカートリッジ１が誤って落下したときに、衝撃によってロックレバー２１、２１が回動され難く、結合状態におけるロックの解除が防止される。このように大きな衝撃が付与されたときにおいても、意図しないロックの解除が防止されるため、内部に収納されているディスク状記録媒体１００の損傷やディスク状記録媒体１００のケース体２からの飛出が発生せず、ディスク状記録媒体１００に記録されているデーターを良好に保存することができる。
【０１２８】
また、ロックレバー２１の重心が被支持部２２の中心又はその近傍に位置されるため、付勢バネ３０、３０に対する負荷を軽減することができる。尚、付勢バネ３０、３０に対する負荷は、ケース体２が縦長の状態とされディスク状記録媒体１００、１００、・・・が水平方向を向く向きで保存される場合においても、同様に軽減される。
【０１２９】
さらに、ロックレバー２１、２１のバランス部２５、２５にそれぞれディスク状記録媒体１００の位置を規制する規制面２９ａ、２９ａを形成しているため、ディスク状記録媒体１００の位置ずれを防止することができると共に部品点数の削減を図ることができる。
【０１３０】
さらにまた、バランス部２５、２５の規制面２９ａ、２９ａをディスク状記録媒体１００の外周面に沿う円弧面状に形成しているため、ディスク状記録媒体１００の位置決め精度の向上を図ることができる。
【０１３１】
加えて、ディスクカートリッジ１にあっては、ケース体２にディスク状記録媒体１００、１００、・・・の中心孔１００ａ、１００ａ、・・・に挿入されてディスク状記録媒体１００、１００、・・・の位置を規制するセンターピン１１を設けている。従って、第１のシェル３と第２のシェル４を結合したときに同時にディスク状記録媒体１００、１００、・・・の位置が規制され、ディスク状記録媒体１００の位置規制を簡単かつ確実に行うことができる。
【０１３２】
上記のように第１のシェル３と第２のシェル４が結合されロックされた状態においては、ロックレバー２１、２１のロック部２３、２３の一部がそれぞれ開閉パネル３７のパネル部３８に形成された挿入用凹部３８ａ、３８ａに挿入されている（図１５及び図１７参照）。従って、ケース体２に大きな衝撃が付与されたとき、例えば、ディスクカートリッジ１が誤って落下したときに、ロック部２３、２３の移動が挿入用凹部３８ａ、３８ａに規制されるため、ロックレバー２１、２１に倒れが生じ難く支持軸１３、１３の破損が防止され、ディスク状記録媒体１００の損傷やディスク状記録媒体１００のケース体２からの飛出が発生せず、ディスク状記録媒体１００に記録されているデーターを良好に保存することができる。
【０１３３】
また、ロックレバー２１、２１はパネル部３８に挿入用凹部３８ａ、３８ａが形成されている分、前方側に位置されているため、第２のシェル４の側面部４３、４３にそれぞれ形成された第１のロック用凹部４５ａ、４５ａの前後方向における幅を小さくすることができる。従って、第２のシェル４のディスク挿脱口４ａに対するディスク状記録媒体１００の挿入時及び取出時におけるディスク状記録媒体１００の脱落を防止することができる。
【０１３４】
さらにまた、付勢バネ３０、３０は、コイル部３０ａ、３０ａがそれぞれ支持軸１３、１３のベース面部７側に設けられたバネ支持部１３ａ、１３ａに支持され、一方の腕部３０ｂ、３０ｂがそれぞれベース面部７に設けられたバネ掛け突部１４、１４に支持され、他方の腕部３０ｃ、３０ｃがそれぞれロックレバー２１、２１のベース面部７側に突出されたバネ支持突部２３ｂ、２３ｂに支持されている。
【０１３５】
従って、付勢バネ３０、３０の全ての部分がベース面部７に沿って配置され、ケース体２の内部のスペースの有効活用による小型化を図ることができる。
【０１３６】
さらに、ディスクカートリッジ１にあっては、ロックレバー２１、２１がそれぞれ支持軸１３、１３に支持された状態において、開閉パネル３７の被取付突部３９、３９がそれぞれ支持軸１３、１３に取り付けられている。
【０１３７】
従って、被取付突部３９、３９によって支持軸１３、１３の倒れを防止することができる。
【０１３８】
加えて、ディスクカートリッジ１にあっては、それぞれ支持軸１３、１３に取り付けられた被取付突部３９、３９がロックレバー２１、２１に対向し近接して位置されている。
【０１３９】
従って、ロックレバー２１、２１及び付勢バネ３０、３０の支持軸１３、１３からの脱落を防止することができると共にロックレバー２１、２１の支持軸１３、１３の軸方向における移動を規制してロックレバー２１、２１の回動動作の適正化を図ることができる。
【０１４０】
上記のように第１のシェル３と第２のシェル４が結合された状態において、例えば、ディスクカートリッジ１はディスクチェンジャーの図示しないカートリッジ挿脱口から挿入されディスクチェンジャーに設けられたロック解除機構７０に保持される。
【０１４１】
ロック解除機構７０は、図１９に示すように、例えば、上下方向を向く矩形の板状の保持ベース７１に所要の各部が設けられて成る。
【０１４２】
保持ベース７１の前縁には下方へ突出され左右に離隔して位置する解除用押圧片７２、７２が設けられている。解除用押圧片７２は保持ベース７１に連続され前後方向を向く連結部７２ａと連結部７２ａの下縁から後方へ突出された押圧部７２ｂとから成る。
【０１４３】
保持ベース７１の左右両側縁における後端寄りの位置にはそれぞれ下方へ突出されたロック解除片７３、７３が設けられている。ロック解除片７３は保持ベース７１に連続され左右方向を向く連結部７３ａと連結部７３ａの下縁から内方へ突出された解除部７３ｂとから成る。
【０１４４】
保持ベース７１の左右両側縁における前端寄りの位置にはそれぞれ下方へ突出された補助片７４、７４が設けられている。補助片７４は保持ベース７１に連続され左右方向を向く連結部７４ａと連結部７４ａの下縁から内方へ突出された挿入部７４ｂとから成る。
【０１４５】
ディスクカートリッジ１が、図２０に示すように、ディスクチェンジャーのカートリッジ挿脱口から挿入されていくと、ロック解除機構７０における解除用押圧片７３、７３の解除部７３ｂ、７３ｂと補助片７４、７４の挿入部７４ｂ、７４ｂとがそれぞれ挿入溝２ａ、２ａに挿入されていく。
【０１４６】
さらにディスクカートリッジ１がカートリッジ挿脱口から挿入されていくと、ロック解除機構７０における解除用押圧片７２、７２の押圧部７２ｂ、７２ｂがそれぞれ開閉パネル３７の挿入孔３７ａ、３７ａに挿入される（図２１及び図２２参照）。
【０１４７】
解除用押圧片７２の押圧部７２ｂが開閉パネル３７の挿入孔３７ａに挿入されると、押圧部７２ｂによってロックレバー２１のロック解除部２４における挿入用突部２７が後方へ押圧される（図２３及び図２４参照）。このときロックレバー２１は押圧部７２ｂによって前後方向に対して左右方向へ傾斜された傾斜面２７ａが押圧されるため、傾斜面２７ａが押圧部７２ｂに対して円滑に摺動されながらロックレバー２１が回動され、解除用押圧片７２にロックレバー２１の回動方向における負荷が付与され難い。
【０１４８】
ロックレバー２１は押圧部７２ｂによって付勢バネ３０の付勢力に抗して回動され、ロック部２３のロック用突部２３ａが第２のシェル４の第１のロック用凹部４５ａから引き出され、ロックレバー２１による第１のシェル３と第２のシェル４のロックが解除される。ロックレバー２１による第１のシェル３と第２のシェル４のロックが解除されたときには、バランス部２５の規制面２９ａがディスク状記録媒体１００の外周面からずれた位置に移動され、規制面２９ａによるディスク状記録媒体１００の規制が解除される。
【０１４９】
また、ロック解除片７３が挿入溝２ａに挿入され解除部７３ｂによってロックスライダー３１の被支持部３２が押圧されると、ロックスライダー３１はコイルバネ３６の付勢力に抗して後方へ移動されロック部３３が第２のシェル４の第２のロック用凹部４５ｂから引き出される（図２５参照）。ロック部３３が第２のロック用凹部４５ｂから引き出されると、ロックスライダー３１による第１のシェル３と第２のシェル４のロックが解除される。ロックスライダー３１による第１のシェル３と第２のシェル４のロックの解除は、ロックレバー２１による第１のシェル３と第２のシェル４のロックの解除と同時に行われる。
【０１５０】
ロックレバー２１、２１とロックスライダー３１、３１による第１のシェル３と第２のシェル４のロックが解除されると、第１のシェル３と第２のシェル４が上下方向に分離可能な状態となり、例えば、第２のシェル４が図示しない移動機構によって下方へ移動され（図２６参照）、収納されているディスク状記録媒体１００が図示しない取出機構によってケース体２から取り出される。
【０１５１】
上記のようにディスクカートリッジ１がディスクチェンジャーの内部に挿入されたときには、図示しないカートリッジ保持機構によってケース体２に形成された把持部６ｃ、６ｃが把持され所定の位置に保持又は移動される。
【０１５２】
このときディスクカートリッジ１にあっては、把持部６ｃ、６ｃがケース体２を構成する第１のシェル３と第２のシェル４の一方、例えば、第２のシェル４に形成され、把持部６ｃ、６ｃはケース体２に収納されたディスク状記録媒体１００、１００、・・・の軸方向における投影面以外の位置に形成されている。
【０１５３】
このようにディスクカートリッジ１にあっては、把持部６ｃ、６ｃが第１のシェル３と第２のシェル４に跨らない位置でかつディスク状記録媒体１００、１００、・・・の投影面以外の位置に存在する。従って、把持部６ｃ、６ｃの高い強度が確保されると共にディスクカートリッジ１がカートリッジ保持機構によって把持されたときに収納されているディスク状記録媒体１００、１００、・・・にカートリッジ保持機構から負荷が付与され難く、ディスク状記録媒体１００、１００、・・・に記録されているデーターを良好に保存することができる。
【０１５４】
また、ケース体２の内部には補強部１０と補強部として機能する補助ベース６とが設けられているため、第１のシェル３の強度の向上を図ることができ、ケース体２の損傷や傷付きを防止することができる。
【０１５５】
さらに、補強部１０及び補助ベース６は把持部６ｃ、６ｃが形成された部分に設けられているため、把持部６ｃ、６ｃの強度が高くなり、ディスク状記録媒体１００、１００、・・・に記録されているデーターを一層良好に保存することができる。
【０１５６】
さらにまた、補強部１０及び補助ベース６にはそれぞれ複数の空間を有する複数の仕切壁１６、１６、・・・、６ｄ、６ｄ、・・・が設けられている。
【０１５７】
従って、簡単な構造によってケース体２の強度の向上を図ることができると共に複数の空間を有しているため水没し難く水中に浮遊したときの回収時間を長くすることができ、また、風雨や水害等の自然災害が生じたときや運搬中の風雨による影響を軽減することができる。尚、ディスクカートリッジ１の内部における空間の体積を、ディスクカートリッジ１の重量と同じ重量の水の体積より大きくすることにより、ディスクカートリッジ１が水中に落下したときの十分な浮力を確保することができる。
【０１５８】
また、補強部１０及び補助ベース６の一部をディスク状記録媒体１００、１００、・・・の位置を規制する規制部１５ｂ、２０ｂとして設けているため、部品点数の削減及び製造コストの低減を図った上でディスク状記録媒体１００、１００、・・・の位置規制を行うことができる。
【０１５９】
加えて、把持部６ｃ、６ｃとして一対の溝部を形成しているため、把持部６ｃ、６ｃの構造が簡素であり製造コストの低減を図ることができると共に把持部６ｃ、６ｃが外方へ突出されていないためディスクカートリッジ１の小型化を図ることができる。
【０１６０】
上記のように第１のシェル３と第２のシェル４が分離された状態において、例えば、第２のシェル４が第１のシェル３に近付くように上方へ移動されることにより第１のシェル３と第２のシェル４を結合することが可能である。
【０１６１】
第１のシェル３と第２のシェル４が結合されるときには、ロックレバー２１、２１がロックを解除した回動位置に保持され、ロックスライダー３１、３１がロックを解除した移動位置に保持されている（図２４及び図２５参照）。
【０１６２】
第２のシェル４が上方へ移動されて第１のシェル３に接し両者が後方へ移動されると、解除用押圧片７２、７２の押圧部７２ｂ、７２ｂによるロック解除部２４、２４の挿入用突部２７、２７に対する押圧が解除され、ロックレバー２１、２１がそれぞれ付勢バネ３０、３０の付勢力によって回動される。従って、ロック部２３、２３のロック用突部２３ａ、２３ａがそれぞれ第２のシェル４の第１のロック用凹部４５ａ、４５ａに挿入されて係合され、ロックレバー２１、２１による第１のシェル３と第２のシェル４のロックが行われる。
【０１６３】
このときロックレバー２１にはロック部２３に突状部２６が設けられているため、図２７に示すように、突状部２６の摺接面２６ａが第１のロック用凹部４５ａの開口縁に摺接しながらロックが行われる。従って、第２のシェル４が上方へ移動される方向へ変位され第１のシェル３が下方へ移動される方向へ変位され第１のシェル３と第２のシェル４が互いに近付く方向へ変位されて結合される。このように、ロックレバー２１の突状部２６は変位構造として機能する。
【０１６４】
上記のように第１のシェル３と第２のシェル４が結合されるときには変位構造として機能する突状部２６によって第１のシェル３と第２のシェル４が互いに近付く方向へ変位されるため、第１のシェル３と第２のシェル４の良好な密閉性を確保することができる。
【０１６５】
また、第２のシェル４が上方へ移動されて第１のシェル３に接し両者が後方へ移動されるときには、ロック解除片７３、７３の解除部７３ｂ、７３ｂによる被支持部３２、３２に対する押圧が解除され、ロックスライダー３１、３１がそれぞれコイルバネ３６、３６の付勢力によって前方へ移動される。従って、ロック部３３、３３がそれぞれ第２のシェル４の第２のロック用凹部４５ｂ、４５ｂに挿入されて係合され、ロックスライダー３１、３１による第１のシェル３と第２のシェル４のロックが行われる。
【０１６６】
このときロックスライダー３１にはロック部３３に突状部３５が設けられているため、図２８に示すように、突状部３５の摺接面３５ａが第２のロック用凹部４５ｂの開口縁に摺接しながらロックが行われる。従って、第２のシェル４が上方へ移動される方向へ変位され第１のシェル３が下方へ移動される方向へ変位され第１のシェル３と第２のシェル４が互いに近付く方向へ変位されて結合される。このように、ロックスライダー３１の突状部３５は変位構造として機能する。
【０１６７】
上記のように第１のシェル３と第２のシェル４が結合されるときには変位構造として機能する突状部３５によって第１のシェル３と第２のシェル４が互いに近付く方向へ変位されるため、第１のシェル３と第２のシェル４の良好な密閉性を確保することができる。
【０１６８】
第１のシェル３と第２のシェル４が結合された状態においては、第１のシェル３の底面板１７の凹状部１７ａに第２のシェル４の後端部が配置され第１のシェル３と第２のシェル４の密閉性が確保される。
【０１６９】
また、第１のシェル３の後端寄りの位置に形成された挿入凹部３ｂ、３ｂにはそれぞれ第２のシェル４における内側壁部４５、４５の挿入部４５ｆ、４５ｆが挿入されて第１のシェル３と第２のシェル４の位置決めが行われる。
【０１７０】
上記したように、ディスクカートリッジ１にあっては、第１のシェル３と第２のシェル４が結合されるときに、第１のシェル３を第２のシェル４に押し付け第２のシェル４を第１のシェル３に押し付ける変位構造を設けている。
【０１７１】
従って、第１のシェル３と第２のシェル４の結合状態において良好な密閉性が確保され、ケース体２の内部に外部から塵埃や水分が侵入し難く、ディスク状記録媒体１００、１００、・・・に記録されているデーターの良好な保存状態を確保することができる。
【０１７２】
また、ディスクカートリッジ１の輸送時や自然災害時における内部への異物や水分の侵入をも防止することができる。
【０１７３】
ディスクカートリッジ１にあっては、上記した変位構造としてロックレバー２１、２１の突状部２６、２６及びロックスライダー３１、３１の突状部３５、３５を設けている。
【０１７４】
従って、変位構造が簡素な構造であり、製造コストの高騰を来たすことなく第１のシェル３と第２のシェル４の良好な密閉性を確保することができる。また、ロックレバー２１、２１とロックスライダー３１、３１に変位構造を設けているため、第１のシェル３と第２のシェル４の結合状態のロック時に確実に良好な密閉性を確保することができる。
【０１７５】
尚、上記には、変位構造の例として、ロックレバー２１、２１の突状部２６、２６とロックスライダー３１、３１の突状部３５、３５を示したが、変位構造はこれらの例に限られることはない。
【０１７６】
例えば、図２９に示すように、第１のシェル３に設けられたセンターピン１１の先端部と第２のシェル４の基面部４２の一方にマグネット５１を配置し他方に磁性部材５２又はマグネットを配置してもよい。このように構成することにより、マグネット５１と磁性部材５２又はマグネットが吸着され、第１のシェル３と第２のシェル４の良好な密閉性を確保することができる。
【０１７７】
また、例えば、図３０に示すように、第１のシェル３に設けられたセンターピン１１に配置穴１１ａを形成し第２のシェル４に配置穴１１ａに挿入される挿入ピン５３を設け、配置穴１１ａと挿入ピン５３の一方にマグネット５４を配置し他方に磁性部材５５又はマグネットを配置してもよい。このように構成することにより、マグネット５４と磁性部材５５又はマグネットが吸着され、第１のシェル３と第２のシェル４の良好な密閉性を確保することができる。
【０１７８】
上記のようにマグネット５１、５４と磁性部材５２、５５又はマグネットを用いることによっても変位構造が簡素な構造になり、製造コストの高騰を来たすことなく第１のシェル３と第２のシェル４の良好な密閉性を確保することができる。また、センターピン１１が変位構造として機能するため、第１のシェル３と第２のシェル４の結合状態において確実に良好な密閉性を確保することができる。
【０１７９】
尚、変位構造として、例えば、第１のシェル３のベース面部７の下面と第２のシェル４の基面部４２の上面との間に支持された引張コイルバネを用い、第１のシェル３と第２のシェル４の結合状態において良好な密閉性を確保することも可能である。
【０１８０】
また、第１のシェル３と第２のシェル４の密閉性を確保するための変位構造を設ける場合に、第１のシェル３と第２のシェル４の一方が他方に対して変位する構成とすることも可能である。この場合には、第１のシェル３と第２のシェル４のうち軽量になる側を変位する構成にすることが、変位時の駆動力を低下させるため望ましい。ディスクカートリッジ１にあっては、ディスク状記録媒体１００、１００、・・・が第２のシェル４の保持溝４５ｅ、４５ｅ、・・・に保持されるため第１のシェル３が第２のシェル４より軽量になる可能性が高く、第１のシェル３を第２のシェル４に対して変位する構成にすることが望ましい。
【０１８１】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【０１８２】
【図１】図２乃至図３０と共に本発明ディスクカートリッジの実施の形態を示すものであり、本図は、ディスクカートリッジの斜視図である。
【図２】第１のシェルと第２のシェルの分離した状態を示すディスクカートリッジの斜視図である。
【図３】図２とは別の方向から見た状態で第１のシェルと第２のシェルの分離した状態を示すディスクカートリッジの斜視図である。
【図４】ディスクカートリッジの分解斜視図である。
【図５】図４とは別の方向から見た状態で示すディスクカートリッジの分解斜視図である。
【図６】ロックレバーの拡大斜視図である。
【図７】ロックレバーの拡大平面図である。
【図８】支持軸に支持されたロックレバーを付勢バネとともに示す拡大斜視図である。
【図９】ロックスライダーの拡大斜視図である。
【図１０】第２のシェルとブリッジ部材と押さえバネとディスク状記録媒体を示す分解斜視図である。
【図１１】ブリッジ部材が第２のシェルに取り付けられた状態を示す拡大斜視図である。
【図１２】ブリッジ部材が第２のシェルに取り付けられた状態を示す拡大断面図である。
【図１３】別の薄肉部の構成を示す第２のシェルの断面図である。
【図１４】また別の薄肉部の構成を示す第２のシェルの断面図である。
【図１５】ディスク状記録媒体が正規の位置に位置決めされて保持されている状態を示す拡大断面図である。
【図１６】第１のシェルと第２のシェルがロックスライダーによってロックされている状態を示す拡大断面図である。
【図１７】先細りの挿入用突部が開閉パネルの挿入孔に挿入されている状態を示す拡大断面図である。
【図１８】各部の寸法関係を説明するための模式図である。
【図１９】ディスクカートリッジとロック解除機構を示す斜視図である。
【図２０】ディスクカートリッジとロック解除機構を示す底面図である。
【図２１】ロック解除機構によって第１のシェルと第２のシェルのロックが解除される直前の状態を示す断面図である。
【図２２】ロック解除機構によって第１のシェルと第２のシェルのロックが解除される直前の状態を示す拡大断面図である。
【図２３】ロック解除機構によって第１のシェルと第２のシェルのロックが解除された状態を示す断面図である。
【図２４】ロック解除機構によって第１のシェルと第２のシェルのロックが解除された状態を示す拡大断面図である。
【図２５】ロック解除機構によってロックスライダーによるロックが解除された状態を示す拡大断面図である。
【図２６】ロック解除機構によってロックスライダーによるロックが解除され第１のシェルと第２のシェルが分離された状態を示す拡大断面図である。
【図２７】ロックレバーが回動され第１のシェルと第２のシェルが結合される直前の状態を示す拡大断面図である。
【図２８】ロックスライダーが移動され第１のシェルと第２のシェルが結合される直前の状態を示す拡大断面図である。
【図２９】センターピンと第２のシェルに一方にマグネットが取り付けられ他方に磁性体又はマグネットが取り付けられた例を示す拡大断面図である。
【図３０】センターピンと第２のシェルに設けられた挿入ピンの一方にマグネットが取り付けられ他方に磁性体又はマグネットが取り付けられた例を示す拡大断面図である。
【符号の説明】
【０１８３】
１…ディスクカートリッジ、２…ケース体、３…第１のシェル、４…第２のシェル、４ａ…ディスク挿脱口、６…補助ベース（補強部）、６ｃ…把持部、６ｄ…仕切壁、７…ベース面部、１０…補強部、１５ｂ…規制部、１６…仕切壁、２０ｂ…規制部、４２…基面部、１００…ディスク状記録媒体
【図１】
2011248949.tif 000003
【図２】
2011248949.tif 000004
【図３】
2011248949.tif 000005
【図４】
2011248949.tif 000006
【図５】
2011248949.tif 000007
【図６】
2011248949.tif 000008
【図７】
2011248949.tif 000009
【図８】
2011248949.tif 000010
【図９】
2011248949.tif 000011
【図１０】
2011248949.tif 000012
【図１１】
2011248949.tif 000013
【図１２】
2011248949.tif 000014
【図１３】
2011248949.tif 000015
【図１４】
2011248949.tif 000016
【図１５】
2011248949.tif 000017
【図１６】
2011248949.tif 000018
【図１７】
2011248949.tif 000019
【図１８】
2011248949.tif 000020
【図１９】
2011248949.tif 000021
【図２０】
2011248949.tif 000022
【図２１】
2011248949.tif 000023
【図２２】
2011248949.tif 000024
【図２３】
2011248949.tif 000025
【図２４】
2011248949.tif 000026
【図２５】
2011248949.tif 000027
【図２６】
2011248949.tif 000028
【図２７】
2011248949.tif 000029
【図２８】
2011248949.tif 000030
【図２９】
2011248949.tif 000031
【図３０】
2011248949.tif 000032